(57)【要約】【課題】  下層巻線と上層巻線との巻線間の絶縁材を不要として、高電圧を出力するＤＣ−ＤＣコンバータを小型かつ安価に得る。【解決手段】  スイッチング素子３がＯＮ状態からＯＦＦ状態に遷移したとき、高電圧が生じる側の１次巻線Ｗ１の端部Ｂと２次巻線Ｗ２の高電圧が発生する側の端部Ｃとをボビン２１の同じ鍔部側に配置し、１次巻線Ｗ１と２次巻線Ｗ２とを上層巻線と下層巻線として直接重ねて巻回したトランス２を、放電灯点灯装置用ＤＣ−ＤＣコンバータに備えた。【選択図】      図１
2006287115.tif 000002
【特許請求の範囲】
【請求項１】
直流電源と１次巻線との接続をスイッチング素子によりＯＮ／ＯＦＦして２次巻線に高電圧を発生するトランスと、前記トランスの２次巻線に発生した高電圧を整流する整流手段とを備えたＤＣ−ＤＣコンバータにおいて、
前記トランスは、スイッチング素子の動作により高電圧が生じる側の１次巻線の端部と高電圧が発生する側の２次巻線の端部とを同じ側に配置し、該各巻線を上層巻線と下層巻線として直接重ねて巻回したことを特徴とするＤＣ−ＤＣコンバータ。
【請求項２】
トランスは、１次巻線に耐電圧の高い線材を使用したことを特徴とする請求項１記載のＤＣ−ＤＣコンバータ。
【請求項３】
トランスは、下層巻線に線径の細い線材を複数並列巻回したことを特徴とする請求項１または請求項２記載のＤＣ−ＤＣコンバータ。
【請求項４】
直流電流と、１次巻線及び２次巻線を有するトランスと、前記直流電源と前記１次巻線との接続をスイッチングするスイッチング手段と、前記２次巻線の出力を整流する整流手段と、当該整流された出力が印加される放電灯とを備えた放電灯点灯装置において、
前記トランスは、前記１次巻線の高電圧側と前記２次巻線の高電圧側とを同じ側に配置し、当該各巻線を上層巻線と下層巻線として直接重ねて巻回したことを特徴とする放電灯点灯装置。
【発明の詳細な説明】
【技術分野】
【０００１】
この発明は、トランスを使用して高電圧を出力するＤＣ−ＤＣコンバータおよび該ＤＣ−ＤＣコンバータを用いた放電灯点灯装置に関するものである。
【背景技術】
【０００２】
従来のＤＣ−ＤＣコンバータには、下層巻線の線径が上層巻線の線径に対して０．２倍〜１．０倍となるように構成し、巻締めによる断線や導電固着部の外部電極からの離脱を回避するため、上層巻線の鍔部側に非巻回領域を設けたトランスを使用したものがある。このトランスは、携帯情報端末などに使用され、例えば５Ｖ程度の低電圧用のＤＣ−ＤＣコンバータに備えられているが、本来低電圧用のトランスであり、上層巻線と下層巻線の一般的な被覆による絶縁で充分耐えられる電圧が印加されるため、上層巻線と下層巻線との間を絶縁する層間テープ等を備えていない（例えば、特許文献１参照）。
しかしながら、例えば４００Ｖ程度の高電圧を発生する放電灯点灯装置用ＤＣ−ＤＣコンバータに上記のような構成のトランスに発生する電圧を考慮せずに使用すると、印加される高電圧によって上層巻線と下層巻線との電位差が大きくなって巻線間に絶縁破壊が発生する。このため、従来の高電圧を出力するＤＣ−ＤＣコンバータには、上層巻線と下層巻線との間に層間テープ等の絶縁材を備えたトランスが使用されている。
【０００３】
【特許文献１】特開２０００−３０９５０号公報（第２，３頁、図１，２）
【発明の開示】
【発明が解決しようとする課題】
【０００４】
上記のように従来の高電圧を発生するＤＣ−ＤＣコンバータ用トランスは、上層巻線と下層巻線との巻線間の絶縁破壊を防ぐ層間テープ等の絶縁材を備えていることから外形を小さくすることが難しく、高電圧を出力するＤＣ−ＤＣコンバータの小型化を困難にしているという課題があった。
【０００５】
この発明は、上記のような課題を解決するためになされたもので、下層巻線と上層巻線との巻線間の絶縁材を不要として、高電圧を出力するＤＣ−ＤＣコンバータをおよび該ＤＣ−ＤＣコンバータを用いた放電灯点灯装置を小型かつ安価に得ることを目的とする。
【課題を解決するための手段】
【０００６】
この発明に係るＤＣ−ＤＣコンバータは、スイッチング素子の動作により高電圧が生じる側の１次巻線の端部と高電圧が発生する側の２次巻線の端部とを同じ側に配置し、該各巻線を上層巻線と下層巻線として直接重ねて巻回したトランスを備えたものである。
【０００７】
この発明に係る放電灯点灯装置は、１次巻線の高電圧側と前記２次巻線の高電圧側とを同じ側に配置し、当該各巻線を上層巻線と下層巻線として直接重ねて巻回したトランスを備えたものである。
【発明の効果】
【０００８】
この発明によれば、高電圧が生じる側の１次巻線の端部と高電圧が発生する側の２次巻線の端部とを同じ側になるように巻回したので、巻線間の電圧差を低く抑えることができる。その結果、巻線間に絶縁材を設けることなく各巻線を直接重ねて巻回してトランスを得ることができ、このトランスを使用して高電圧を出力するＤＣ−ＤＣコンバータを小型かつ安価に得ることができるという効果がある。
【０００９】
この発明によれば、１次巻線の高電圧側と前記２次巻線の高電圧側とを同じ側に配置し、当該各巻線を上層巻線と下層巻線として直接重ねて巻回したトランスを使用するので、点灯開始後の短い時間のみ高電圧が印加されることとなり、当該トランス構成により、巻線自体の被覆とは別に絶縁部材等の必要がなくなり、放電灯点灯装置を小型化することが容易となるという効果がある。
【発明を実施するための最良の形態】
【００１０】
以下、この発明の実施の一形態を説明する。
実施の形態１．
図１は、この発明の実施の形態１によるＤＣ−ＤＣコンバータを使用している放電灯点灯装置の回路図である。直流電圧を出力する電源１の正電極は、トランス２の１次巻線Ｗ１の一端である端部Ａに接続され、この１次巻線Ｗ１の他端である端部Ｂはスイッチング素子３に接続される。スイッチング素子３は、スイッチング動作を制御する制御部４に接続され、トランス２の１次巻線Ｗ１の端部Ｂと電源１の負電極との接続をＯＮ／ＯＦＦするものである。例えばＮ型ＭＯＳトランジスタをスイッチング素子３として回路接続したときには、ゲートが制御部４に接続され、ドレインが１次巻線Ｗ１の端部Ｂに接続され、またソースが電源１の負電極に接続される。
トランス２の２次巻線Ｗ２は、一端の端部Ｃがダイオード（整流手段）５のアノードに接続され、他端の端部Ｄが電源１の負電極に接続される。ダイオード５のカソードは、コンデンサ６の一端に接続される。コンデンサ６の他端は電源１の負電極に接続される。また、コンデンサ６の両端は各々Ｈブリッジ形回路７の入力点に接続される。
【００１１】
Ｈブリッジ形回路７は、例えば４個のスイッチング素子からなり、各スイッチング素子の動作を制御する制御部８が接続されている。Ｈブリッジ形回路７の出力点はイグナイタ９に接続され、イグナイタ９を介してＨＩＤバルブ１０へ点灯電圧を印加するように接続されている。ＨＩＤバルブ１０は、例えばキセノンガス等を封入している放電灯バルブである。
上記のように接続されたトランス２、スイッチング素子３、制御部４、ダイオード５、コンデンサ６によってＤＣ−ＤＣコンバータが構成されている。なお、図１や後述する図４に示した放電灯点灯装置は、例えば車両のヘッドランプのＨＩＤバルブ１０を点灯させる。
【００１２】
図２は、実施の形態１によるＤＣ−ＤＣコンバータに用いるトランスの構成を示す概略断面図である。図１に示したものと同一あるいは相当する部分に同じ符号を使用し、その重複説明を省略する。この図は、巻線の巻回軸方向に沿ったトランス２の断面の概略形状を示したもので、ボビン２１の中央部位に磁性体のコア部材２２が挿入・配置されている。ボビン２１に巻回されている上層巻線が図１に示す１次巻線Ｗ１で、下層巻線が２次巻線Ｗ２である。また、図２のトランス２は、２次巻線Ｗ２の巻線間に生じる凹部に１次巻線Ｗ１の線材を直接巻き付けている。また、１次巻線Ｗ１と２次巻線Ｗ２は、後述するように高電圧が生じるそれぞれの端部を揃えて、即ち１次巻線Ｗ１の端部Ｂと２次巻線Ｗ２の端部Ｃとを、ボビン２１を形成する２つの鍔部の内、同じ鍔部側に配置して巻回されている。
トランス２は、１次巻線Ｗ１と２次巻線Ｗ２の巻線比を例えば１：２（１＋α）として、１次巻線Ｗ１の電圧の２倍の高電圧が２次側巻線Ｗ２に発生するように構成したもので、負荷に応じて２０〜４００Ｖの電圧を出力する。
【００１３】
次に動作について説明する。
制御部４の制御によりスイッチング素子３がＯＮ状態となっているとき、トランス２の１次巻線Ｗ１の端部Ｂは電源１の負電極に接続され、１次巻線Ｗ１に電流が流れる。制御部４の制御によりスイッチング素子３がＯＮ状態からＯＦＦ状態へ遷移すると、１次巻線Ｗ１に蓄積しているエネルギによって２次巻線Ｗ２に高電圧が発生する。２次巻線Ｗ２に発生した高電圧をダイオード５によって整流し、コンデンサ６に該高電圧を印加して充電する。充電されたコンデンサ６の両端に生じている高電圧をＨブリッジ形回路７へ入力する。
Ｈブリッジ形回路７から出力された高電圧は、イグナイタ９によってさらに昇圧され、ＨＩＤバルブ１０へ数十ｋＶの高電圧を印加して放電を開始させる。ＨＩＤバルブ１０が放電を開始すると、制御部８の制御によりＨブリッジ形回路７がスイッチング動作を行い、ＨＩＤバルブ１０へ印加する電圧極性を周期的に反転させて放電点灯を持続／安定させる。
【００１４】
ＨＩＤバルブ１０が放電点灯を開始するまで、トランス２は２次巻線Ｗ２の両端に４００Ｖ程度の高電圧を発生させ、イグナイタ９へ供給する。
特に車両のヘッドランプに使用されているＨＩＤバルブを点灯する場合には電源電圧が１２Ｖと低く、この電源電圧を用いて４００Ｖの高電圧を発生する放電灯点灯装置用ＤＣ−ＤＣコンバータには、１次巻線と２次巻線との巻線比が大きなトランスが必要になり、例えば巻線比が１：４のトランスが使用されている。このように巻線比を大きくして高電圧を出力させると１次巻線と２次巻線との電位差が大きくなり、１次巻線と２次巻線との間に例えば層間シートのような絶縁材が必要になる。ＨＩＤバルブを点灯させる場合、数百Ｖの高電圧を必要とする時間が極めて短いことから、放電灯点灯装置用ＤＣ−ＤＣコンバータのトランスであれば、１次巻線と２次巻線との電位差を抑制することにより、上記のような絶縁材を不要とすることも可能である。
【００１５】
図３は、実施の形態１によるＤＣ−ＤＣコンバータのトランス２に生じる電圧を示す説明図である。この図は、ＨＩＤバルブ１０が放電点灯を行っていないとき、トランス２の各巻線の端部に生じる電圧を示したもので、図中上段に１次巻線Ｗ１の端部Ｂに生じる電圧、また中段に２次巻線Ｗ２の端部Ｃに発生する電圧の経時変化を示している。また、下段には１次巻線Ｗ１の端部Ｂと２次巻線Ｗ２の端部Ｃとの電位差を示している。
前述のように、制御部４の制御によりスイッチング素子３がＯＮ状態からＯＦＦ状態に遷移すると、オープン状態となった端部Ｂにフライバック電圧が発生し、例えば２００Ｖの電圧が生じる。１次巻線Ｗ１に生じたフライバック電圧により、２次巻線Ｗ２には巻線比に応じた高電圧が発生する。巻線比を概ね１：２とした場合、１次巻線Ｗ１の端部Ｂの電圧が２００Ｖとなっているとき２次巻線Ｗ２の端部Ｃには４００Ｖの高電圧が発生する。なお、スイッチング素子３がＯＮ状態となって１次巻線Ｗ１の端部Ｂが電源１の負電極に接続されて０Ｖとなっているとき、１次巻線Ｗ１の両端電圧は１２Ｖとなって、この１２Ｖの巻線比に応じた２倍の電圧２４Ｖが２次巻線Ｗ２に発生し、詳しくは端部Ｄが電源１の負電極に接続されているので−２４Ｖが端部Ｃに発生する。このときの端部Ｃと端部Ｂの電位差は図３下段に示したように−２４Ｖである。
【００１６】
端部Ｃに発生した電圧はダイオード５によって整流される。この整流作用によってコンデンサ６には、上記の−２４Ｖがカットされて４００Ｖの高電圧のみが印加される。コンデンサ６は、その両端電圧が４００Ｖに達するまで充電される。
前述のようにＨＩＤバルブ１０が放電点灯を開始し、Ｈブリッジ形回路７が制御部８の制御により動作するようになると、Ｈブリッジ形回路７を介してＨＩＤバルブ１０に電流が流れるようになり、ＤＣ−ＤＣコンバータの出力電圧が下降する。ＨＩＤバルブ１０が定常点灯状態になったとき、ＤＣ−ＤＣコンバータの出力電圧は、例えば８５Ｖあるいは４２Ｖ程度になり、コンデンサ６の両端電圧やトランス２の２次巻線Ｗ２の端部Ｃの電圧も同様な値になる。
【００１７】
１次巻線Ｗ１と２次巻線Ｗ２の巻線比を小さくすることにより、１次巻線Ｗ１と２次巻線Ｗ２の電位差、特に高電圧が生じる１側巻線Ｗ１の端部Ｂと２次巻線Ｗ２の端部Ｃとの間の最大電位差を前述のように２００Ｖに抑制することができる。
ＪＩＳ規格Ｃ３００３にエナメル線の試験方法が規定されている。この試験規格によれば、エナメル線の皮膜厚さが０．０１６〜０．０２４ｍｍのとき、試験電圧は３００Ｖと規定している。また皮膜厚さが０．０２５〜０．０３５ｍｍのとき、試験電圧を４００Ｖと規定していることから、この規格を満たしている線材をトランス２の各巻線に用いた場合、上記のように巻線間の電位差が２００Ｖ程度であれば充分な絶縁が保障され、図２に示したように１次巻線Ｗ１と２次巻線Ｗ２との間に絶縁材を設ける必要がなくなる。余裕をもって耐電圧の高い線材を使用する場合には、巻数の少ない１次巻線Ｗ１に耐電圧の高い線材を使用するとトランス２のコストを抑制することができる。
【００１８】
以上のように実施の形態１によれば、１次巻線Ｗ１の端部Ｂと２次巻線Ｗ２の端部Ｃとをボビン２１の同じ鍔部側に配置し、また上層巻線の１次巻線Ｗ１と下層巻線の２次巻線Ｗ２とを、絶縁材を介在させることなく直接重ねて巻回してトランス２を構成したので、高電圧を出力するＤＣ−ＤＣコンバータを小型かつ安価に得ることができるという効果がある。
なお、上記の説明のように本発明のＤＣ−ＤＣコンバータは、放電灯バルブが点灯を開始するとき４００Ｖ程度の高電圧を出力し、通常点灯時には例えば８５Ｖあるいは４２Ｖの低電圧を出力するものであり、かつ高電圧は点灯開始後の短い時間のみであるため、このＤＣ−ＤＣコンバータを適用することにより、放電灯点灯装置を容易に小型化できるという効果がある。
【００１９】
実施の形態２．
図４は、この発明の実施の形態２によるＤＣ−ＤＣコンバータを使用している放電灯点灯装置の回路図である。図１に示したものと同一あるいは相当する部分に同じ符号を使用し、その重複説明を省略する。この回路は、図１に示したトランス２に替えてオートトランス３０（以下、オートトランス３０をトランス３０と記載する）を備えたもので、Ｈブリッジ形回路７、制御部８、イグナイタ９、及びＨＩＤバルブ１０の接続は実施の形態１で説明したものと同様であるから重複説明を省略する。
トランス３０の１次巻線Ｗ１の一端を端部Ｅ、２次巻線Ｗ２の端部と共通となる他端を端部Ｆとしたとき、端部Ｅは電源１の正電極に接続され、端部Ｆはスイッチング素子３の例えばソースに接続されている。２次巻線Ｗ２の一端を端部Ｈ、１次巻線Ｗ１の端部Ｆと共通となる他端を端部Ｇとしたとき、端部Ｈはダイオード５のアノードに接続されている。なお、端部Ｇは端部Ｆと共通なのでスイッチング素子３のソースに接続されている。スイッチング素子３のドレインやゲート、ダイオード５のカソード、及びコンデンサ６の両端は、図１で説明したものと同様に接続されている。
【００２０】
図５は、実施の形態２によるＤＣ−ＤＣコンバータに用いるトランスの構成を示す概略断面図である。
図１〜４に示したものと同一あるいは相当する部分に同じ符号を使用し、その重複説明を省略する。この図は、巻線の巻回軸に沿ったトランス３０の断面の概略形状を示したもので、ボビン３１の中央部位に磁性体のコア部材３２が挿入・配置されている。ボビン３１に巻回されている上層巻線が図４に示す１次巻線Ｗ１で、下層巻線が２次巻線Ｗ２である。また、図５のトランス３０は、図２を用いて説明したトランス２と同様に、下層の２次巻線Ｗ２に１次巻線Ｗ１を直接重ねて巻回しており、前述のように下層巻線の凹部に上層巻線の線材を巻き付けている。１次巻線Ｗ１と２次巻線Ｗ２は、後述するように高電圧が生じるそれぞれの端部を揃えて、即ち１次巻線Ｗ１の端部Ｆと２次巻線Ｗ２の端部Ｈとを、ボビン３１を形成する２つの鍔部の内、同じ鍔部側に配置して巻回されている。
【００２１】
図６は、実施の形態２によるＤＣ−ＤＣコンバータに用いるトランスの他の構成を示す概略断面図である。図５等に示したものと同一あるいは相当する部分に同じ符号を使用し、その重複説明を省略する。図６のトランス３０ａは、線径の細い複数の線材を例えば２本の線材を並列に密着させて巻回し、これを２次巻線Ｗ２としたもので、その他の部分は図５に示したトランス３０と同様に構成されている。図６では「●」と「○」とを用いて２本の線材を並列巻回した２次巻線Ｗ２を表している。なお、図５に示したものと同様に下層巻線となる２次巻線Ｗ２の凹部に、上層巻線即ち１次巻線Ｗ１の線材を巻き付けている。
図５のトランス３０及び図６のトランス３０ａは、１次巻線Ｗ１と２次巻線Ｗ２の巻線比を例えば１：（１＋α）として構成したもので、スイッチング素子３がＯＮ状態からＯＦＦ状態へ遷移したとき１次巻線Ｗ１に生じるフライバック電圧により２次巻線Ｗ２に高電圧を発生させ、負荷に応じて２０〜４００Ｖの電圧を出力する。また、いずれのトランス３０，３０ａも図４のＤＣ−ＤＣコンバータに用いることができる。
【００２２】
次に動作について説明する。
図４に示したＤＣ−ＤＣコンバータは、制御部４の制御によりスイッチング素子３がＯＮ状態となっているとき、トランス３０の１次巻線Ｗ１の端部Ｆは電源１の負電極に接続され、１次巻線Ｗ１に電流が流れる。制御部４の制御によりスイッチング素子３がＯＮ状態からＯＦＦ状態へ遷移すると、１次巻線Ｗ１に蓄積しているエネルギによって２次巻線Ｗ２に高電圧が発生する。２次巻線Ｗ２に発生した高電圧をダイオード５によって整流し、コンデンサ６に該高電圧を印加して充電する。充電されたコンデンサ６の両端に生じている高電圧をＨブリッジ形回路７へ入力する。
Ｈブリッジ形回路７、制御部８、イグナイタ９、及びＨＩＤバルブ１０の動作は、実施の形態１で説明したものと同様に動作する。ここではその説明を省略する。また、トランス３０に替えてトランス３０ａを用いたＤＣ−ＤＣコンバータも上記の説明のように動作する。
【００２３】
図７は、実施の形態２によるＤＣ−ＤＣコンバータのトランスに生じる電圧を示す説明図である。この図は、ＨＩＤバルブ１０が点灯していないとき、トランス３０あるいはトランス３０ａの各巻線の端部に生じる電圧を示したもので、図中上段に１次巻線Ｗ１の端部Ｆに生じる電圧、また中段に２次巻線Ｗ２の端部Ｈに発生する電圧の経時変化を示している。また、下段には１次巻線Ｗ１の端部Ｆと２次巻線Ｗ２の端部Ｈとの電位差を示している。
スイッチング素子３がＯＮ状態からＯＦＦ状態に遷移すると、オープン状態となった端部Ｆにフライバック電圧が発生し、例えば２００Ｖの電圧が生じる。１次巻線Ｗ１に生じたフライバック電圧によって、２次巻線Ｗ２に高電圧が発生する。ここで、トランス３０あるいはトランス３０ａの巻線比を１：（１＋α）とした場合、１次巻線Ｗ１の端部Ｆの電圧が２００Ｖとなっているとき、２次巻線Ｗ２の端部Ｈには４００Ｖの高電圧が発生する。なお、スイッチング素子３がＯＮ状態となって１次巻線Ｗ１の端部Ｆが電源１の負電極に接続されて０Ｖとなっているとき、１次巻線Ｗ１の両端電圧は１２Ｖとなる。１次巻線Ｗ１と２次巻線Ｗ２の巻線比は概ね１対１なので２次巻線Ｗ２には１２Ｖの電圧が発生し、詳しくは端部Ｇが電源１の負電極に接続されているので端部Ｈには−１２Ｖが発生する。
【００２４】
端部Ｆに発生した電圧はダイオード５によって整流される。この整流作用によってコンデンサ６には、上記の−１２Ｖがカットされて４００Ｖの高電圧のみが印加される。コンデンサ６は、その両端電圧が４００Ｖに達するまで充電される。
前述のようにＨＩＤバルブ１０が点灯を開始し、Ｈブリッジ形回路７が制御部８の制御により動作するようになると、Ｈブリッジ形回路７を介してＨＩＤバルブ１０に電流が流れるようになり、ＤＣ−ＤＣコンバータの出力電圧は下降する。ＨＩＤバルブ１０が定常点灯状態となったときには、ＤＣ−ＤＣコンバータの出力電圧は、例えば８５Ｖあるいは４２Ｖ程度になり、コンデンサ６の両端電圧やトランス３０あるいはトランス３０ａの２次巻線Ｗ２の端部Ｈの電圧も同様な値になる。
【００２５】
図５，６には、破線の矢印で各トランス３０，３０ａの１次巻線Ｗ１によって発生する磁束を表している。図５のトランス３０は２次巻線Ｗ２の線径が大きいため各巻線間や該巻線とボビン３１との間に隙間が生じ、１巻線Ｗ１によって発生した磁束が２次巻線Ｗ２全体を貫くことができず、漏れ磁束３３が生じる。このように漏れ磁束３３が生じることにより、２次巻線Ｗ２に高電圧を発生させるエネルギの損失が大きくなる。図６のトランス３０ａの２次巻線Ｗ２は、線径の細い２本の線材を並列に密着させて巻回することにより、該巻線の断面積を確保しながら下層巻線を薄く構成している。このように２次巻線Ｗ２の線径が小さいことから、上層巻線の１次巻線Ｗ１と下層巻線の２次巻線Ｗ２との間に生じる隙間を少なくすることができ、またさらに各巻線とコア部材３２との隙間が狭化され、図６に示したように上層巻線、下層巻線、及びコア部材３２の密着度を高めることができる。このように各巻線やコア部材３２の密着度が高くなると１次巻線Ｗ１によって生じた磁束３３ａが満遍なく２次巻線Ｗ２を貫くようになり、漏れ磁束が減少して２次巻線Ｗ２に効率よく高電圧を発生させることが可能になる。
なお、実施の形態１で説明したトランス２の２次巻線Ｗ２を、線径の小さな線材を複数並列に密着させて巻回した場合も同様な作用効果が得られる。
【００２６】
以上のように実施の形態２によれば、１次巻線Ｗ１の端部Ｆと２次巻線Ｗ２の端部Ｈとをボビン３１の同じ鍔部側に配置し、また上層巻線の１次巻線Ｗ１と下層巻線の２次巻線Ｗ２とを直接重ねて巻回してトランス３０，３０ａを構成したので、高電圧を出力するＤＣ−ＤＣコンバータを小型かつ安価に得ることができるという効果がある。
また、トランス３０ａの２次巻線Ｗ２を、線径の細い複数の線材を並列に密着させて巻回して下層巻線として構成したので、各巻線とボビン３１との隙間を狭化して漏れ磁束を減少させることができ、ＤＣ−ＤＣコンバータから出力される電力に含まれるノイズを低減することができるという効果がある。
【図面の簡単な説明】
【００２７】
【図１】この発明の実施の形態１によるＤＣ−ＤＣコンバータを使用している放電灯点灯装置の回路図である。
【図２】実施の形態１によるＤＣ−ＤＣコンバータに用いるトランスの構成を示す概略断面図である。
【図３】実施の形態１によるＤＣ−ＤＣコンバータのトランスに生じる電圧を示す説明図である。
【図４】この発明の実施の形態２によるＤＣ−ＤＣコンバータを使用している放電灯点灯装置の回路図である。
【図５】実施の形態２によるＤＣ−ＤＣコンバータに用いるトランスの構成を示す概略断面図である。
【図６】実施の形態２によるＤＣ−ＤＣコンバータに用いるトランスの他の構成を示す概略断面図である。
【図７】実施の形態２によるＤＣ−ＤＣコンバータのトランスに生じる電圧を示す説明図である。
【符号の説明】
【００２８】
１  電源、２  トランス、３  スイッチング素子、４  制御部、５  ダイオード（整流手段）、６  コンデンサ、７  Ｈブリッジ形回路、８  制御部、９  イグナイタ、１０  ＨＩＤバルブ、２１  ボビン、２２  コア部材、３０，３０ａ  トランス、３１  ボビン、３２  コア部材、３３  漏れ磁束、３３ａ  磁束。
【図１】
2006287115.tif 000003
【図２】
2006287115.tif 000004
【図３】
2006287115.tif 000005
【図４】
2006287115.tif 000006
【図５】
2006287115.tif 000007
【図６】
2006287115.tif 000008
【図７】
2006287115.tif 000009